(57)【要約】【課題】天候に左右されることなく、雨天時でも埃や雨水が付着することなく点検作業が可能で、点検後の収納作業も容易に行うことができる機器点検装置を提供する。【解決手段】閉鎖配電盤１１に収納された電気機器１２の所定の引き出し高さへ位置決めすべく、ブラケット１３を上下動可能に構成したリフター１４と共に移動可能な囲い部材１７とを備えている囲い部材１７は、透光性及び可撓性を有し、リフター１４の周囲を点検用の空間を保って囲う周面部１７Ａ，１７Ｂ，１７Ｃと、透光性を有する天井部１７Ｄとを有する。周面部は、水平方向に伸縮可能な蛇腹部を有し、天井部は、リフター１４の上方を覆う部分は硬質材で、その他の部分は可撓性を有する材質で形成されており、周面部を収縮させることでリフター１４の周囲をコンパクトな状態で覆うことができる。【選択図】図１
2019022350.tif 000002
【特許請求の範囲】
【請求項１】
閉鎖配電盤に収納された電気機器の所定の引き出し高さへ位置決めすべく、機器保持用のブラケットを上下動可能に構成し、前記閉鎖配電盤外の任意の位置へ移動可能なリフターと、
透光性を有し、かつ可撓性を有する材質でつくられ、前記閉鎖配電盤との対向部を除く前記リフターの周囲を点検用の空間を保って囲う周面部と、透光性を有し、前記周面部で囲まれた空間の上方を覆う天井部とを有し、前記リフターと共に移動可能な囲い部材とを備え、
前記周面部は、水平方向に伸縮可能な蛇腹部を有し、前記天井部は、前記リフターの上方を覆う直上部は硬質材で、その他の部分は可撓性を有する材質で形成されており、
前記周面部の蛇腹部は、点検時は前記点検用の空間を確保できる状態へ拡張可能で、非点検時は前記点検用の空間を排除した状態へ収縮可能である
ことを特徴とする機器点検装置。
【請求項２】
前記天井部は前記リフターの直上部が硬質材でつくられ、かつ前記リフターに一体的に固定され、前記硬質材によりつくられた部分の周縁部は可撓性を有する材質でつくられていることを特徴とする請求項１に記載の機器点検装置。
【発明の詳細な説明】
【技術分野】
【０００１】
本発明の実施形態は、閉鎖配電盤に収納された遮断器などの機器を盤外に引き出して点検するための機器点検装置に関する。
【背景技術】
【０００２】
遮断器や、パワーフューズと電磁接触器とを組み合わせた所謂コンビネーションスイッチ等の電気機器は、キュービクルと呼ばれる閉鎖配電盤内に複数段、段積構成で収納されている。このような電気機器を点検する場合、電気機器は閉鎖配電盤から盤外に引き出され、盤外の空間にて点検される。
【０００３】
上述のように電気機器は段積構成で収納されているので、上段に収納された電気機器は、機器保持用のブラケットを有するリフターを用いて引き出される。この場合、閉鎖配電盤の前面扉を開放した後、この開放面と対向する位置にリフターを移動させ、ブラケットを上下動させて電気機器の収納高さに位置合わせする。ブラケットを位置合わせ後、電気機器をブラケット上に引出し、このブラケット上にて点検を行う。
【０００４】
このような機器点検作業を行うに当たり、閉鎖配電盤が屋外設置の場合、天候によっては開放した前面から盤内に埃が浸入したり、雨天時には雨水が浸入する。また、盤外に引き出された電気機器自体にも埃や雨水が付着する。
【０００５】
このような埃や雨水の付着は、閉鎖配電盤内部や電気機器自体の電気絶縁特性に悪影響を与えることから阻止しなければならない。また、作業環境の面から見ても、雨天時における屋外での点検作業は作業者に大きな負担をかけ、実質的に困難であり、作業日程上、制約を受けることとなる。
【０００６】
さらに、機器引出しに用いられるリフターは、点検作業後は、養生シートをかけて所定箇所に収納保管する必要がある。しかし、リフターに大きな養生シートをかける作業は面倒で大きな労力を要し、収納作業に多くの時間を要した。
【先行技術文献】
【特許文献】
【０００７】
【特許文献１】実開昭５７−２１２０４号明細書
【発明の概要】
【発明が解決しようとする課題】
【０００８】
本発明は天候に左右されることなく、雨天時でも埃や雨水が付着することなく点検作業が可能で、点検後の収納作業も容易に行うことができる機器点検装置を提供することにある。
【課題を解決するための手段】
【０００９】
本発明の実施の形態に係る機器点検装置は、閉鎖配電盤に収納された電気機器の所定の引き出し高さへ位置決めすべく、機器保持用のブラケットを上下動可能に構成し、前記閉鎖配電盤外の任意の位置へ移動可能なリフターと、透光性を有し、かつ可撓性を有する材質でつくられ、前記閉鎖配電盤との対向部を除く前記リフターの周囲を点検用の空間を保って囲う周面部と、透光性を有し、前記周面部で囲まれた空間の上方を覆う天井部とを有し、前記リフターと共に移動可能な囲い部材とを備え、前記周面部は、水平方向に伸縮可能な蛇腹部を有し、前記天井部は、前記リフターの上方を覆う直上部は硬質材で、その他の部分は可撓性を有する材質で形成されており、前記周面部の蛇腹部は、点検時は前記点検用の空間を確保できる状態へ拡張可能で、非点検時は前記点検用の空間を排除した状態へ収縮可能であることを特徴とする。
【００１０】
上記構成によれば、天候に左右されることなく、雨天時でも点検作業が可能で、日程上の制約を受けることなく良好な点検作業を容易に行うことができ、さらに、点検後の収納作業も容易に行うことができる。
【図面の簡単な説明】
【００１１】
【図１】本発明の一実施形態に係る機器点検装置を閉鎖配電盤に適用した場合の使用状態を示す側面図である。
【図２】図1の平面図である。
【図３】図2で示した囲い部材の収納時における縮小状態を示す平面図である。
【発明を実施するための形態】
【００１２】
以下、本発明の実施の形態について、図面を参照して詳細に説明する。
【００１３】
図１及び図２において、１１は屋外設置型の閉鎖配電盤で、その盤内には、電気機器（図では遮断器）１２が、複数段（２段〜４段）、段積状態で引き出し可能に設置されている。この盤内には、図示しない導体やケーブル、その他の電気器具が設置されている。電気機器１２は盤内への収納時、これら導体類と自動接続され、盤外への引き出しにより、導体類とは断路されるように構成されている。
【００１４】
電気機器１２は、上述のように、閉鎖配電盤１１内に複数段、段積構成されており、上段に収納された電気機器１２を引き出す場合は、図示のように、機器保持用のブラケット１３を有するリフター１４が用いられる。リフター１４は、ブラケット１３を上下動可能に支持する支柱１４ａと、この支柱１４ａを一体的に支持する台車１４ｂとを有する。このリフター１４は、ブラケット１３を、閉鎖配電盤１１に収納された電気機器１２の所定の引き出し高さへ位置決めすべく上下動可能であり、また、閉鎖配電盤１１外の任意の位置へ移動可能でもある。
【００１５】
１７は囲い部材で、閉鎖配電盤１１の前面（図示右面）との対向部分を除いた前面部１７Ａ、両側面部１７Ｂ及び後面部１７Ｃと天井部１７Ｄとを有する。両側面部１７Ｂ及び後面部１７Ｃは、図２で示すように、リフター１４の両側方及び後方を、点検用の空間を保って囲うことができる。また、これら前面部１７Ａ、両側面部１７Ｂ及び後面部１７Ｃ（これらを周面部と呼ぶ）には、外光を採光するため透光性を有し、かつ可撓性を有する材質のシート材を用いる。このシート材としては、図２において太い破線で図示したように、蛇腹部を有し、水平方向に伸縮可能なものを用いる。
【００１６】
したがって、囲い部材１７の周面部は、電気機器１２の後述する点検時、蛇腹部が伸長されることにより、リフター１４の周囲に点検用の空間を生じさせることができる。これに対し点検後等の非点検時には蛇腹部を収縮させることで、リフター１４の周囲を、点検用の空間を排除したコンパクトな状態で覆うことができる。
【００１７】
天井部１７Ｄは、上述した周面部（前面部１７Ａ、両側面部１７Ｂ及び後面部１７Ｃ）で囲まれた空間の上方を覆うもので、外光を採光するため透光性を有する材質が用いられる。この天井部１７Ｄのうち、リフター１４の上方を覆う部分（以下、直上部と呼ぶ）１７Ｄａ（図２参照）はアクリル板などの硬質材で形成する。これに対し、硬質材による直上部１７Ｄａの周縁部１７Ｄｂは可撓性を有する材質で形成する。
【００１８】
なお、天井部１７Ｄは、図１で示す閉鎖配電盤１１との組み合わせ状態にて、後方（図示右方）へ下降する傾斜面とし、前端（図示左端）縁部は、閉鎖配電盤１１の屋根の一部と重なるように、庇状に形成するとよい。
【００１９】
このように構成された囲い部材１７の硬質材による天井部の前記直上部１７Ｄａは、図示しない支持材によりリフター１４の支柱１４ａと一体的に結合され、支持されている。したがって、囲い部材１７はリフター１４と共に移動可能に構成されている。
【００２０】
この囲い部材１７は、蛇腹部分の縦方向に対する剛性により自立させることができる。また、図示しないが、簡易な枠材により支持してもよい。これらの構成により囲い部材１７は、電気機器１２の点検時には、図２で示すように、リフター１４の周囲に点検用の空間を保った状態を維持する。
【００２１】
上記構成において、閉鎖配電盤１１内に複数段、段積構成で収納された電気機器１２を点検する場合、まず、閉鎖配電盤１１の前面扉１１ａ（図２に図示）を開放した後、この開放面と対向する位置にリフター１４を移動させる。
【００２２】
このとき、囲い部材１７は、リフター１４と共に移動するので、閉鎖配電盤１１の前面部に対向する位置へ移動する。この状態で、囲い部材１７の、閉鎖配電盤１１との対向部分を除いた前面部１７Ａ、両側面部１７Ｂ及び後面部１７Ｃの蛇腹部分を引き伸ばし、図１及び図２で示すように、リフター１４の周囲を、点検用の空間を保った状態で包囲する。
【００２３】
この状態で、ブラケット１３を上下動させて電気機器１２の収納高さに位置合わせする。
【００２４】
ブラケット１３を位置合わせした後、電気機器１２をブラケット１３上に引出し、このブラケット１３上にて点検を行う。
【００２５】
ここで、囲い部材１７の天井部１７Ｄは図１で示すようにその前縁部（図示左端部）が閉鎖配電盤１１の屋根と庇状にラップしているので、降雨時においても、雨水が内部に侵入することはない。また、閉鎖配電盤１１は収納機器により盤幅が異なる場合があるが、囲い部材１７の前面部１７Ａも蛇腹状であるため、異なる盤幅にも対応して閉鎖でき、この部分からの雨水の侵入も防止できる。
【００２６】
点検終了後は、図３で示すように、囲い部材１７の両側面部１７Ｂ及び後面部１７Ｃの蛇腹部分を縮小して、天井部１７Ｄの硬質材部分１７Ｄａ周辺長さとほぼ等しくなるように形成する。この場合、両側面部１７Ｂ及び後面部１７Ｃの上辺部と天井部１７Ｄの周縁部１７Ｄｂの外辺とを分離した構成としておけば、両側面部１７Ｂ及び後面部１７Ｃの縮小動作に支障を与えることなく、スムースな縮小動作が可能となる。また、囲い部材の両前面部１７Ａの蛇腹部を伸長させることにより、点検時に閉鎖配電盤１１内と通じていた囲い部材１７の前面の開口部を閉鎖することができる。
【００２７】
これらの操作により、リフター１４は、その周囲を囲い部材１７により、点検用空間を除いたコンパクトな形状に覆うことができる。すなわち、従来の養生シートによって覆うと同等以上の防水、防塵効果を得ることができる。また、その操作も、従来の大面積の養生シートを取り扱って丈の高いリフターを覆う作業に比べ、格段に容易となり、作業者への負担を軽減することができる。
【００２８】
なお、囲い部材１７の前面部１７Ａ、両側面部１７Ｂ、後面部１７Ｃに設ける蛇腹は、それらの全面に設けなくてもよく、必要部分に最低限の範囲で設けるように構成してもよい。
【００２９】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００３０】
１１…閉鎖配電盤
１２…電気機器
１３…ブラケット
１４…リフター
１７…囲い部材
１７Ａ，１７Ｂ，１７Ｃ…周面部を形成する前面部、両側面部、後面部
１７Ｄ…天井部
１７Ｄａ…硬質材でつくられた直上部
１７Ｄｂ…可撓性を有する材質でつくられた周縁部
【図１】
2019022350.tif 000003
【図２】
2019022350.tif 000004
【図３】
2019022350.tif 000005